(57)【要約】【課題】全体を薄肉の合成樹脂により起立可能に形成したスタンディング薄肉容器であって、簡易な構造で収納物の分割使用ができるとともに、製造も容易で安価に得られるスタンディング薄肉容器を提案する。【解決手段】胴部３の上部コーナーに、先端部を閉塞した筒状をなし且つ切断用の第１環状凹陥部７と係合用の第２環状凹陥部８を備えたノズル形成用突部４を備え、第１環状凹陥部７部分で切断した先端部をキャップとして、切断により開口した注出口に、第２環状凹陥部８が注出口縁部に密嵌する如く閉塞部側から嵌着が可能に構成した。【選択図】図１
2005239191.tif 000002
【特許請求の範囲】
【請求項１】
全体を薄肉の合成樹脂により一体に且つ起立可能に形成するとともに、収納物を充填してシールする充填口２を胴部３の上端縁に備え、且つ胴部３の上部コーナーにノズル形成用突部４を備えてなり、前記ノズル形成用突部４は、先端部を閉塞した筒状をなすとともに、切断用の第１環状凹陥部７と、該第１環状凹陥部外方に設けた係合用の第２環状凹陥部８とを備え、前記第１環状凹陥部７部分で切断した先端部を、切断により開口した注出口10に、前記第２環状凹陥部８が前記注出口縁部に密嵌する如く閉塞部側からの嵌着が可能に構成したことを特徴とするスタンディング薄肉容器。
【請求項２】
上記第１環状凹陥部７及び第２環状凹陥部８が断面Ｖ字状をなし、ノズル形成用突部４の先端周縁をテーパ状に形成してなる請求項１に記載のスタンディング薄肉容器。
【発明の詳細な説明】
【技術分野】
【０００１】
本発明はスタンディング薄肉容器に関する。
【背景技術】
【０００２】
底部を形成するフィルムと、側壁部を形成する一対のフィルムを、その周縁部を融着シールして起立可能な袋状容器とした所謂スタンディングパウチが提案されている。（例えば、特許文献１参照）。このスタンディングパウチはシールされた一側縁上方にノッチが設けられ、該ノッチ近傍より延び、前記一側縁上方のコーナーをカットするための複数のハーフカット溝が設けられ、このノッチからハーフカット溝を切断することにより上端コーナー部を除去して開封し、収納物を注出する如く構成している。
【０００３】
また、収納物の分割使用を可能とするために、キャップ付きのスパウトを融着固定したものも提案されている。（例えば、特許文献２参照）このスタンディングパウチは、パウチ側壁部の上辺と側辺との一角に傾斜部を設け、該傾斜部に内容物を注出するためのスパウトを熱溶着したもので、スパウトは、パウチ側壁部に溶着される基部と、該基部から外方に向かって延びる外周面にネジ山を有する注出筒と、該注出筒の天面に熱溶着されるシール部材と、注出筒外周面のネジ山とネジ嵌合されるキャップと、該キャップの内面に設けられて注出筒天面に液密に当接するコンタクトリングとを備えている。
【特許文献１】特開２００１−２３３３５５号公報
【特許文献２】特開２００２−１０４４４６号公報
【発明の開示】
【発明が解決しようとする課題】
【０００４】
上記した如く従来のスタンディングパウチは、一般に構造が簡単で主容器に対する詰替を主目的とするため、安価に製造できる簡易構造のものが要望されている。その為上記した如きフィルムを融着して形成するという形態を採り、その目的を達成している。また、スパウトを備えたものは分割使用が可能で更に使用範囲が広がる便利なものであるが、その分構造が複雑化し、製造工程も増加するためコストアップに繋がるという問題がある。      
【０００５】
本発明は上記した点に鑑みてなされたもので、更に簡易な構造で収納物の分割使用ができるとともに、製造も容易で、安価に得られるスタンディング薄肉容器を提案するものである。
【課題を解決するための手段】
【０００６】
本発明スタンディング薄肉容器は、上記課題を解決するため、全体を薄肉の合成樹脂により一体に且つ起立可能に形成するとともに、収納物を充填してシールする充填口２を胴部３の上端縁に備え、且つ胴部３の上部コーナーにノズル形成用突部４を備えてなり、前記ノズル形成用突部４は、先端部を閉塞した筒状をなすとともに、切断用の第１環状凹陥部７と、該第１環状凹陥部外方に設けた係合用の第２環状凹陥部８とを備え、前記第１環状凹陥部７部分で切断した先端部を、切断により開口した注出口10に、前記第２環状凹陥部８が前記注出口縁部に密嵌する如く閉塞部側からの嵌着が可能に構成した。
【０００７】
上記胴部３の形態は、ノズル形成用突部４との一体成形が可能で起立可能な形態であれば種々の形態を採用できるが、一般的なこの種のスタンディング薄肉容器の胴部の如く、中央部が上方へ凹んだ底壁部の周縁より、両側が上方へ行くに従って窄んだ形状の周壁部を延設した形態のものが好ましく採用できる。但しこれに限られず、例えば、上下が同径の筒状胴部を備えたものであっても良い。胴部３の肉厚は収納物の無い場合或いは収納物を充填した状態で起立可能な保形性を備えるのに充分な薄さを備えていれば特に限定されない。
【０００８】
本発明スタンディング薄肉容器は、全体をブロー成形により形成する。ブロー成形としては、一般的なダイレクトブロー成形が好ましく採用できるが、その他、コールドパリソン法，射出吹込成形法等の従来使用されている成形方法を採用でき，形状等により選択することができる。ブロー成形手段を採用することにより、スタンディング薄肉容器を成形当初から起立させることができるため、充填時に一々充填口を広げる手間がなく、円滑な充填を可能とするとともに、取り扱いも極めて便利となる。
【０００９】
上記ノズル形成用突部４は、開封時に切断してノズル11とキャップ12とを形成し、残液保管のためにノズル11にキャップ12を嵌着しておくことができるように構成したものである。また、上記第１環状凹陥部７は上記した如く切断用であり、この部分から切り離してその基端部をノズル11として形成し、また、切り離した先端部をキャップ12として使用する。第１環状凹陥部７は切断時の目安となるばかりでなく、切り離したキャップ12を嵌める際に、第２環状凹陥部８とともに注出口10の良好な液密性を付与するために寄与する。即ち、第２環状凹陥部８は切り離したキャップ12を注出口10に嵌合した際に、注出口10周縁部には切断された第１環状凹陥部７の半部が突片13として残り、該突片13が嵌着したキャップ12の第２環状凹陥部８に係合して良好な液密性を付与する。
【００１０】
本発明のスタンディング薄肉容器は、上記第１環状凹陥部７及び第２環状凹陥部８が断面Ｖ字状をなし、ノズル形成用突部４の先端周縁をテーパ状に形成しても良い。第１，第２の各環状凹陥部７，８の形状はノズル形成用突部４の周縁部が環状に内方へ凹んだ状態であれば要件を満たすが、上記の如く断面Ｖ字状に形成することにより、第１環状凹陥部７に於いてその切断位置を明確に認識でき、また、先端のテーパ状部の存在で切断後に切り離されたキャップ12が注出口10に嵌合し易く容易にキャップの装着を行える。
【発明の効果】
【００１１】
本発明のスタンディング薄肉容器は、使用に当たって切断用の第１環状凹陥部７を切断して開口した注出口10より収納物を注出することができる。また、収納物を全部使用しない場合には、切断されたノズル先端部をキャップ12として使用する事ができ、従って、収納物の分割使用が可能であり、開封後も収納物を安定した状態で品質の劣化を来すことなく保管することができる。更に、嵌合したキャップ12先端部は第２環状凹陥部８に注出口周縁の突片13が嵌合フィットして充分な液密性を付与し、簡単に外れない様になる。また、全体を薄肉の合成樹脂により一体に形成しているため、製造が容易で安価に得られる。
【００１２】
また、先端縁をテーパ部９に形成したものはテーパ部９の存在で切断分離したキャップ12を開口した注出口10に容易に挿入でき、強制的に押し込めば注出口10縁部の薄肉の突片13は容易に拡開し簡単に嵌合することができる。更に、各環状凹陥部７，８を断面Ｖ字状に形成したものは切断位置をより明確に認識でき、キャップ12の嵌合時により良好な液密性を得られる。
【発明を実施するための最良の形態】
【００１３】
以下、本発明の実施例の形態を図面を参照して説明する。
【００１４】
図１は本発明スタンディング薄肉容器１の一例を示す側面図、図２は背面図である。スタンディング薄肉容器１は、全体を薄肉の合成樹脂により一体に且つ起立可能に形成するとともに、収納物を充填してシールする充填口２を胴部３の上端縁に備え、且つ前記胴部の上部コーナーにノズル形成用突部４を突設している。
【００１５】
胴部３は、中央部が山形に上方に凹んだ底壁部3aの周縁部より両側が上方に行くに従って窄まる形態の周壁部3bを立設しており、その上部前方のコーナー部分をノズル形成用突部４を突設するための凹部５を形成している。また、充填口２は、凹部５後方の上端部に開口したもので、図示例では収納物を充填後融着，接着等の適宜手段により扁平状にシールしたシール部６を形成して充填口２を密閉し、収納物を密閉収納している。
【００１６】
ノズル形成用突部４は、上記凹部５より斜め前方に一体に突設し、基端開口を胴部３内と連通するとともに、先端部を閉塞して突設している。ノズル形成用突部４は第１環状凹陥部７と、該第１環状凹陥部外方に設けた第２環状凹陥部８とを備えている。第１環状凹陥部７は切断用で、鋏等の道具を使用してその部分を切断することにより、切断して切り離した先端部をキャップとし、残った基部をノズルとする如く構成している。第１環状凹陥部７は、ノズル形成用突部４の長手方向中間部に設けられた断面Ｖ字状をなし、また、第２環状凹陥部８は第１環状凹陥部と同様に断面Ｖ字状をなし、第１環状凹陥部７外方に並行に位置している。また、ノズル形成用突部４の先端部周縁にはテーパ部９が設けられている。
【００１７】
上記の如く構成したスタンディング薄肉容器１は、充填口２を介して収納液を充填した後、充填口２周縁の胴部３上端縁をヒートシールして閉塞する。使用に当たっては、図４(a) に示す如きそのノズル形成用突部４の第１環状凹陥部７の中央を鋏，カッター，ナイフ等の道具を用いて切断し、図４(b) に示す如く注出口10を開口して切り離した基端部をノズル11とし、先端部をキャップ12として使用する。この際、ノズル11先端の注出口10周縁部には第１環状凹陥部７の切断残片としての環状の突片13が形成される。次いで、収納液の一部を注出口10より注出した後、キャップ12をその閉塞部側から注出口10内に挿入し、第２環状凹陥部８内に突片13を嵌合させて注出口10を液密に閉塞する。
【図面の簡単な説明】
【００１８】
【図１】本発明スタンディング薄肉容器の側面図である。（実施例１）
【図２】本発明スタンディング薄肉容器の背面図である。（実施例１）
【図３】本発明スタンディング薄肉容器のノズル形成用突部部分の要部斜視図である。（実施例１）
【図４】本発明スタンディング薄肉容器の作用を説明する説明図である。（実施例１）
【符号の説明】
【００１９】
２…充填口，３…胴部，４…ノズル形成用突部，７…第１環状凹陥部，
８…第２環状凹陥部，９…テーパ部，10…注出口，11…ノズル，12…キャップ，
13…突片
【図１】
2005239191.tif 000003
【図２】
2005239191.tif 000004
【図３】
2005239191.tif 000005
【図４】
2005239191.tif 000006